(57)【特許請求の範囲】
【請求項１】
圧縮機から凝縮器を介して冷媒を供給される蒸発器と、前記蒸発器の結露を受けるドレン受けと、前記ドレン受けに設けられたドレン口からの排水を受ける排水タンクとを除湿機本体内に備えた除湿機において、前記除湿機本体の底部一端縁における角部にキャスターを設けるとともに、前記ドレン受けのドレン口を前記キャスター側に偏位させて設けたことを特徴とする除湿機。
【請求項２】
排水タンクの天面部に蓋を備えたことを特徴とする請求項１に記載の除湿機。
【請求項３】
排水タンクの天面部の一端縁側にのみ蓋を備えたことを特徴とする請求項２に記載の除湿機。
【請求項４】
前記除湿機本体に、所定角度を超えて除湿機本体を傾けたとき、床面に接触する当接部を設け、この当接部の床面への接触によりキャスターによる除湿機本体の移動を停止させることを特徴とする請求項１ないし請求項３のいずれかに記載の除湿機。
【発明の詳細な説明】
【０００１】
【発明の属する技術分野】
この発明は、ドレン受けのドレン口をキャスター側に設けることで除湿機本体の傾斜移動時にドレン受けに溜まっていた除湿水を排水タンクに落とすことを可能にさせたものである。
【０００２】
【従来の技術】
図７は、従来の除湿機を示す断面図である。
図において、１は蒸発器、２は吸込口、３は凝縮器、４は送風ダクト、５は送風ファン、６は風路である。
蒸発器１は吸込口２の下流側の風路６に設けられ、凝縮器３は蒸発器１の下流側に設けられている。
【０００３】
７は吹出口、８はドレン口、９はドレン板からなるドレン受け、１０は排水タンク、１１は底板、１２は圧縮機、１３は送風ファン５を回転させるためのモーター、１４は除湿機本体である。
排水タンク１０はドレン口８下に設置され、蒸発器１と凝縮器３とは連結されて冷媒回路を構成している。底板１１には圧縮機１２が取付けられている。
図中、１５は除湿水を、矢印１６は吸引された空気の流れを示す。
【０００４】
次に、動作について説明する。
圧縮機１２に通電されると、高温高圧の冷媒ガスが凝縮器３に流れ込み、凝縮器３は高温に保たれる。
また、モーター１３にも通電され、吸込口２から吸い込まれた空気により凝縮器３の冷媒ガスは冷却され凝縮し、高温高圧の気液混合状態になり、凝縮器３から更に毛細管を通ることにより低温低圧の冷媒液となり蒸発器１に入る。
【０００５】
蒸発器１の冷媒液は吸い込まれた空気により加熱され蒸発して低圧の冷媒ガスとなり、圧縮機１２に吸入される。そのとき、同時に吸込空気１６は蒸発器１で冷却され、冷却後の温度の飽和水蒸気より多く含まれていた水分（除湿水１５）は結露してドレン受９に受けられ、ドレン口８から排水タンク１０内に落ちて溜められる。
【０００６】
除湿機本体１４の移動時には、除湿機本体１４の上面部に取付けられたハンドル１７を持ち、本体を移動させる。
【０００７】
【発明が解決しようとする課題】
従来の除湿機は、以上のように構成されているので、移動の際にドレン受け９に溜まっていた除湿水や排水タンク１０内に溜まった除湿水が除湿機本体１４内にこぼれ出る場合がある。これらは最も重要な改善項目である。
この発明は、除湿機本体を傾けて移動する際に起るドレン受けからの水こぼれを防止した除湿機を得ようとするものである。
【０００８】
【課題を解決するための手段】
第１の発明の除湿機においては、圧縮機から凝縮器を介して冷媒を供給される蒸発器と、前記蒸発器の結露を受けるドレン受けと、前記ドレン受けに設けられたドレン口からの排水を受ける排水タンクとを除湿機本体内に備えた除湿機において、前記除湿機本体の底部一端縁における角部にキャスターを設けるとともに、前記ドレン受けのドレン口を前記キャスター側に偏位させて設けたものである。
【０００９】
第２の発明の除湿機においては、排水タンクの天面部に蓋を備えたものである。
【００１０】
第３の発明の除湿機においては、排水タンクの天面部の一端縁側のみに蓋を備えたものである。
【００１１】
第４の発明においては、除湿機本体に、所定角度を超えて除湿機本体を傾けたとき、床面に接触する当接部を設け、この当接部の床面への接触によりキャスターによる除湿機本体の移動を停止させるものである。
【００１２】
【発明の実施の形態】
実施の形態１．
この発明の実施の形態１を、図１および図２に基づいて説明する。
図１は、要部構成を示す縦断面図である。また、図２は移動時において除湿機本体を傾けた状態を示している。
図１において、１は蒸発器、２は吸込口、３は凝縮器、４は送風ダクト、５は送風ファン、６は風路である。
蒸発器１は吸込口２の下流側の風路６に設けられ、凝縮器３は蒸発器１の下流側に設けられている。
【００１３】
７は吹出口、８はドレン口、９はドレン板からなるドレン受け、１０は排水タンク、１１は底板、１２は圧縮機、１３は送風ファン５を回転させるためのモーター、１４は除湿機本体である。
排水タンク１０はドレン口８下に設置され、蒸発器１と凝縮器３とは連結されて冷媒回路を構成している。底板１１には圧縮機１２が取付けられている。
図中、１５は除湿水を、矢印１６は吸引された空気の流れを示す。
【００１４】
１８はキャスターである。キャスター１８は除湿機本体１４の底部を構成する底板１１の背面角部に２個取付けられ、ドレン口８はドレン受け９に設けられていて、ドレン口８の位置はキャスタ−１８側にある。そのドレン受け９は除湿機本体１４内に取付けられている。
【００１５】
次に、図２において、ハンドル１７を持ちキャスター１８を支点に除湿機本体１４を傾けると、ドレン受け９に溜まっていた除湿水が傾斜によりドレン口８に集まりドレン口８を通し排水タンク１０に落ち溜められる。
【００１６】
これにより、除湿機本体１４の移動時に起るドレン受け９からの除湿水の水こぼれを防止できる。
【００１７】
実施の形態２．
次に、この発明による実施の形態２を、図３に基づいて説明する。
図３において、１９は排水タンク１０の天面部を覆う蓋である。蓋１９には、キャスター１８による除湿機本体１４の傾斜移動時にもドレン口８から滴下する排水を排水タンク１０に受けることが可能な上面開口１９ａが設けられている。
図中、図１と同一符号は、同一または相当部分を示す。
【００１８】
この実施の形態２によれば、排水タンク１０の天面部に蓋１９を取付けることにより、排水タンク１０内に溜められた除湿水１５が蓋１９を壁とすることで、除湿機本体１４の傾斜移動時に排水タンク１０の外へ除湿水１５がこぼれることを防止できる。
【００１９】
実施の形態３．
また、この発明による実施の形態３を、図４に基づいて説明する。
図４において、２０は排水タンク１０の天面部において一端縁側にのみ設けられた蓋である。蓋２０が設けられた排水タンク１０の天面部の他の部分は開放され、キャスター１８による除湿機本体１４の傾斜移動時にもドレン口８から滴下する排水を排水タンク１０に受けることが可能な上面開口２０ａを形成している。
図中、図１と同一符号は、同一または相当部分を示す。
【００２０】
図４のように、蓋２０は完全に排水タンク１０を覆わず傾斜方向のみにあっても、除湿水１５のこぼれ防止効果は同等である。
【００２１】
この実施の形態３によれば、排水タンク１０の天面部の一端縁側にのみ蓋２０を取付けることにより、排水タンク１０内に溜められた除湿水１５が蓋２０を壁とすることで、除湿機本体１４の傾斜移動時に、簡潔な構成によって、排水タンク１０の外へ除湿水１５がこぼれることを防止できる。
【００２２】
実施の形態４．
この発明による実施の形態４を、図５に基づいて説明する。
図５において、２１は除湿機本体１４の底部を構成する底板１１に設けた当接部である。
【００２３】
実施の形態４によれば、キャスタ−１８の近傍部となる底板１１に当接部２１を設けることにより、除湿機本体１４を傾けた移動する際に除湿機本体１４を一定の角度以上傾けても、底板１１の当接部２１が床面に接触するため、キャスタ−１８の回転が停止する。
【００２４】
実施の形態５．
この発明による実施の形態５を、図６に基づいて説明する。
図６において、２２は除湿機本体１４の背面を構成する側面下部の一端縁に設けた当接部である。
【００２５】
この発明の実施の形態５による図６の構成においても、キャスター１８の近傍部となる除湿機本体１４に当接部２２を設けることにより、除湿機本体１４を傾けて移動する際に除湿機本体１４を一定の角度以上傾けても、前記当接部２２が床面に接触するため、キャスター１８の回転が停止し同等の効果を得る。
【００２６】
【発明の効果】
第１の発明によれば、除湿機本体を傾けて移動する際に起るドレン受けからの水こぼれを防止した除湿機を得ることができる。
【００２７】
第２の発明によれば、排水タンクの天面部に蓋を備えることにより、除湿機本体の移動時に起る排水タンク内の除湿水のこぼれを防止した除湿機を得ることができる。
【００２８】
第３の発明によれば、排水タンクの天面部の一端縁側にのみ蓋を備えることにより、除湿機本体の傾斜移動時に起る排水タンク内の除湿水のこぼれを防止した除湿機を得ることができる。
【００２９】
第４の発明によれば、除湿機本体を傾けて移動する際に一定の角度以上傾けた場合、キャスターによる除湿機本体の移動を停止させることができる除湿機を得ることができる。
【図面の簡単な説明】
【図１】この発明の実施の形態１における要部構成を示す縦断面図である。
【図２】この発明の実施の形態１における本体が傾いた状態の要部構成を示す縦断面図である。
【図３】この発明の実施の形態２における本体が傾いた状態の要部構成を示す縦断面図である（排水タンク天面部の全面に蓋をしたもの）。
【図４】この発明の実施の形態３における本体が傾いた状態の要部構成を示す断面図である（排水タンク天面部の傾斜方向のみに蓋をしたもの）。
【図５】この発明の実施の形態４における除湿機本体が傾いた状態の要部構成を示す縦断面図である（キャスター近傍部の底板に当接部を設けた形状のもの）。
【図６】この発明の実施の形態５における除湿機本体が傾いた状態の要部構成を示す縦断面図である（キャスター近傍部のケースに当接部を設けた形状のもの）。
【図７】従来の除湿機を示す縦断面図である。
【符号の説明】
１  蒸発器、２  吸込口、３  凝縮器、４  送風ダクト、５  送風ファン、６風路、７  吹出口、８  ドレン口、９  ドレン受け、１０  排水タンク、１１底板、１２  圧縮機、１３  モーター、１４  除湿機本体、１５  除湿水、１６  吸込空気、１７  ハンドル、１８  キャスター、１９，２０  蓋、２１，２２  当接部。
【図１】
0003631604.tif 000002
【図２】
0003631604.tif 000003
【図３】
0003631604.tif 000004
【図４】
0003631604.tif 000005
【図５】
0003631604.tif 000006
【図６】
0003631604.tif 000007
【図７】
0003631604.tif 000008